(57)【特許請求の範囲】
【請求項１】
電源や低周波出力回路を内蔵した低周波出力部と折り曲げ自由な導子部とを長円形の低周波出力部の長手方向と長円形の導子部の長手方向とが垂直に交わるように一体化し、導子部を低周波出力部の略投影部分で厚みを大きくし、この導子部の厚みの厚い部分の適所に折り曲げ性をよくするための切り溝を設けて成ることを特徴とする低周波治療器。
【請求項２】
低周波出力部の裏側に電池収納部を設け、導子部を変形させることにより電池収納部を開けて電池の出し入れを行えるようにしたことを特徴とする請求項１記載の低周波治療器。
【請求項３】
低周波出力部と導子部とをカシメ固定する構造において、カシメ端子と接触する導子部の導電ゴムに突起を出し、導子部の導電ゴムとカシメ端子との接続を安定化させたことを特徴とする請求項１記載の低周波治療器。
【請求項４】
導子部への粘着パッドの貼り付けによるカシメ端子の錆や腐食を防止するために合成樹脂シートをカシメ端子の露出部分の表裏の全面に亙って被着し、カシメ端子と導電ゴムとの接触のための穴を合成樹脂シートに明けたことを特徴とする請求項１記載の低周波治療器。
【請求項５】
導電ゴムに絶縁ゴムを被覆している導子部において、導電ゴムを絶縁ゴムより突出させることにより粘着パッドとの接触を安定化させると同時に導電ゴムの絶縁ゴムに対する位置ずれを防止するようにしたことを特徴とする請求項１記載の低周波治療器。
【発明の詳細な説明】
【０００１】
【産業上の利用分野】
本発明は、電源や低周波出力回路を内蔵した低周波出力部と折り曲げ自在な導子部を一体にした低周波治療器に関するものである。
【０００２】
【従来の技術】
従来の低周波出力部と導子部とが一体型の低周波治療器を図１３に示す。図１３で１，２はスイッチ、３，４は左右のパネル、５は電池カバー、６は回路組み立て品、７は導子部（電極）、８はハウジング、９はベース、１０はコイルバネ、１１は第１のスライド止め具、１２は蛇腹、１３は第２のスライド止め具、１４は＋側の電池金具、１５は−側の電池金具である。この低周波治療器のベース９は中央部で屈曲できるようになっており、ハウジング８やパネル３側である左側の半体と、電池カバー５やパネル４側である右側の半体とは屈曲して角度を変えられるようになっている。このとき低周波治療器の導子部７は低周波出力部の本体の中に電極として完全に一体化しており、第１のスライド止め具１１、蛇腹１２、第２のスライド止め具１３により、左側の半体と右側の半体との間の折り曲げ角度は最大２５゜になるように規制されていた。
【０００３】
【発明が解決しようとする課題】
ところが、上記の従来例の構造では、折り曲げが自由にきかず、人体の曲面との密着性に欠けるという問題があった。
本発明は上記問題点に鑑みてなされたものであって、本発明の目的とするところは電源や低周波出力回路を内蔵した低周波出力部と折り曲げ自由で人体の肌の曲面との密着性に優れた導子部とを一体化した低周波治療器を提供するにある。
【０００４】
【課題を解決するための手段】
上記目的を達成するため本発明低周波治療器は、電源や低周波出力回路を内蔵した低周波出力部と折り曲げ自由な導子部とを長円形の低周波出力部の長手方向と長円形の導子部の長手方向とが垂直に交わるように一体化し、導子部を低周波出力部の略投影部分で厚みを大きくし、この導子部の厚みの厚い部分の適所に折り曲げ性をよくするための切り溝を設けて成ることを特徴とする。
【０００５】
【作用】
上記構成によれば、折り曲げ自在な導子部を有することにより、導子部を自在に曲げることができて人体の肌の曲面に導子部を密着させることができる。導子部を低周波出力部の略投影部分で厚みを大きくしたことにより、低周波出力部と導子部とをカシメで一体化するとき導子部の肉厚の厚い部分を固定できてカシメ固定力が強くなる。導子部の厚みの厚い部分の適所に折り曲げ性をよくするための切り溝を設けたことにより、導子部に厚みの厚い部分があっても導子部を自在に曲げることができて人体の肌の曲面に導子部を密着させることができる。さらに低周波出力部と折り曲げ自由な導子部とを長円形の低周波出力部の長手方向と長円形の導子部の長手方向とが垂直に交わるように一体化したことにより、導子部の撓み変形量が大きくなり、導子部と人体との密着性が一層よくなる。
【０００６】
【実施例】
低周波治療器の全体の構造は図１に示すように低周波出力部Ａと折曲自在な導子部Ｂとで構成されている。低周波出力部Ａはスイッチ１６，１７、表示パネル１８、接触金具１９、カシメ端子２０、回路組み立て品２３、−側電池金具２４、ハウジング２５、ベース２６、＋側電池金具２７等で構成されている。導子部Ｂは絶縁ゴム２１と導電ゴム２２で構成されている。
【０００７】
ハウジング２５の上面には表示パネル１８を設けてあり、表示パネル１８にはスイッチ１６，１７を露出させてある。ハウジング２５とベース２６との間に回路組み立て品２３、−側電池金具２４、＋側電池金具２７を収納してあり、ハウジング２５とベース２６間の適所には電池収納部２８を設けてあり、電池収納部２８内に電池２９を収納してあり、電池２９を−側電池金具２４及び＋側電池金具２７に接触させてある。導子部Ｂは絶縁ゴム２１の下面側に一対の導電ゴム２２を一体に成形して形成されている。導子部Ｂは一対のカシメ端子２０にてベース２６に取り付けてあり、一対のカシメ端子２０にて回路組み立て品２３と各導電ゴム２２とを導通させてある。
【０００８】
この低周波治療器においては図１の構成からわかるように完全に低周波出力部Ａと導子部Ｂとに分けて、それら２つを一体化（カシメ）する必要がある。そこで人体との密着性と導子部Ｂの折り曲げ性を考慮して低周波出力部Ａはできるだけ小さくすることが必要であり、さらに導子部Ｂは折り曲げが自由で柔らかいことが必要になってくる。つまり、低周波出力部Ａはできるだけ小さく、導子部Ｂは低周波出力部Ａより十分に大きくて折り曲げが自由で柔らかい材料にて形成されており、導子部Ｂを自由自在に曲げて図２（ｂ）に示すように人体の肌３０のＲ面に対して密着性があるようにしてある。
【０００９】
また低周波出力部Ａと導子部Ｂとの位置関係については図３から分かるように図３（ａ）より図３（ｂ）のようにした方が導子部Ｂと人体との密着性がよいといえる。つまり、導子部Ｂの長手方向と低周波出力部Ａの長手方向とが平行であると、導子部Ｂの撓み変形量が図３（ａ）′のように小さくて導子部Ｂと人体との密着性が悪くなるが、導子部Ｂの長手方向と低周波出力部Ａの長手方向とが垂直に交わると、導子部Ｂの撓み変形量が図３（ｂ）′のように大きくなり、導子部Ｂと人体との密着性がよくなる。
【００１０】
また低周波出力部Ａと導子部Ｂとを一体化するためにはカシメ構造にする必要がある。そこで、低周波出力部Ａと導子部Ｂのカシメにおいて、カシメ後に導子部Ｂを引っ張っても容易に外れたり、カシメ力が弱まったりしないように導子部Ｂのカシメ部分の肉厚を大きくする必要がある。しかしながら、導子部Ｂの肉厚をすべて大きくすると、折り曲げ性が悪くなるため、カシメ部の肉厚を大きくし、他の部分は折り曲げ性をよくするために肉厚を薄くする。ところが、カシメ部だけの肉厚を厚くすると、低周波出力部Ａを導子部Ｂの上に置いたとき、図４からもわかるように左右に低周波出力部Ａががたつき、不安定になるという問題がある。そこで図５に示すように低周波出力部Ａの低周波出力部Ａの略投影部分のみを導子部Ｂの肉厚をアップして厚肉部３１を設けることにより低周波出力部Ａのがたつきを防ぐことができて安定化することができる。このようにすると、図６に示す矢印のように導子部Ｂを引っ張ったときカシメ部に先にストレスがかからず、肉厚をアップし始めたａ点にストレスがかかるため、カシメ強度が強くなる。
【００１１】
さらに低周波出力部Ａの略投影部分に対応する位置で導子部Ｂの肉厚を厚くして肉厚部３１を形成することにより、図７（ａ）の矢印イ方向に対する折り曲げ性が悪くなるため図８に示すように切り溝３２を数箇所（図８では２箇所）に入れることにより、導子部Ｂが自由に折り曲げ可能になるようにしてある。また図８に示すように低周波出力部Ａにおいて、側部の裏側に電池収納部２８を設けてある場合、導子部Ｂに切り溝３２をつけることにより電池２９の着脱もしやすくなる。つまり、導子部Ｂを切り溝３２で曲げ、ベース２６を曲げることにより、電池収納部２８を開き、図８（ｂ）のように電池２９の着脱が容易にできるようになる。
【００１２】
次に低周波出力部Ａと導子部Ｂを一体化するカシメ構成について述べる。表面にニッケルメッキをしたカシメ端子２０は図９、図１０に示すように円筒状の本体２０ａと、一端に設けた円盤状の押さえ部２０ｂとで形成されており、導子部Ｂの下面側から導子部Ｂの導電ゴム２２、絶縁ゴム２１、ベース２６及び接触金具１９に本体２０ａを挿通し、本体２０ａの他端をカシメ加工してカシメ部２０ｃを接触金具１９に係止してある。カシメ端子２０の押さえ部２０ｂは導電ゴム２２の下面に設けた凹部３３に収めてある。凹部３３内でカシメ端子２０を挿通する挿通孔３４の孔縁には全周に亙って下方に突出する突起３８を設けてあり、カシメ端子２０でカシメ固定したとき突起３８が圧縮されて導電ゴム２２とカシメ端子２０との接触が安定化するようになっている。この突起３８を設けないと、カシメ端子２０の押さえ部２０ｂの上側にウレタンシートのような合成樹脂シート３５を被せているため、カシメ端子２０と導電ゴム２２との接触面が図９のｂ部のみになってしまい、接触の安定性に欠けてしまうという可能性がある。突起３４を設けることにより、ｂ点のカシメ端子２０の側面と、カシメ端子２０の上部とでダブルで接触できるようになるため、接触はより安定化する。
【００１３】
また導子部Ｂを人体の肌３０に密着させるために導子部Ｂに粘着パッド３６を取り付けるが、カシメ端子２０そのものが錆びたり、腐食したりするために絶縁物（本発明の場合、ウレタンシートのような合成樹脂シート３５）で覆う必要がある。そこで粘着パッド３６の着脱の際にもウレタンシートのような合成樹脂シート３５が外れないようにカシメ端子２０の円盤状の押さえ部２０ｂの上側と下側とに合成樹脂シート３５を被せ、上下の合成樹脂シート３５の外周を溶着することにより、錆び防止と外れ防止ができる。しかしながら、カシメ端子２０の押さえ部２０ｂの上側の全面に合成樹脂シート３５を被せてしまうと、導電ゴム２２の突起３８部分との接触がなくなるため、突起３８部分だけ合成樹脂シート３５に穴を明けて接触面を作り、接触の安定化を図っている。
【００１４】
さらに導子部Ｂでは導電ゴム２２の下面は図１１（ａ）（ｂ）に示すように絶縁ゴム２１の下面より下方に突出させている。このように導電ゴム２２の下面を下方に突出させると、導子部Ｂの下面に粘着パッド３６を取り付けたとき、粘着パッド３６との接触面を導電ゴム２２の下面のみならず、導電ゴム２２の側面にも作り、粘着パッド３６の安定化を図るようになっている。つまり、図１１（ｄ）に示すように導電ゴム２２の下面が絶縁ゴム２１の下面より突出していないときには導電ゴム２２の下面にしか粘着パッド３６が接触しないが、図１１（ｃ）に示すように導電ゴム２２の下面が絶縁ゴム２１の下面より突出していると、導電ゴム２２の下面及び側面に粘着パッド３６が接触して取り付けが安定する。また導子部Ｂの絶縁ゴム２１と導電ゴム２２は２色成形しているため成形時に導電ゴム２２の位置ずれを起こしやすが、導電ゴム２２の下面を突出させるようにすると位置ずれを防止できる。つまり、図１２（ａ）のように導電ゴム２２を成形してから、位置決め治具３７に導電ゴム２２を導電ゴム２２の突出を利用してセットし、その後に絶縁ゴム２１を成形することができるようになり、導電ゴム２２の絶縁ゴム２１に対する位置ずれを防止できる。
【００１５】
【発明の効果】
本発明は叙述のように電源や低周波出力回路を内蔵した低周波出力部と折り曲げ自由な導子部とを一体化していて、折り曲げ自在な導子部を有するので、導子部を自在に曲げることができて人体の肌の曲面に導子部を密着させることができるものであるのは勿論、導子部を低周波出力部の略投影部分で厚みを大きくしているので、低周波出力部と導子部とをカシメで一体化するとき導子部の肉厚の厚い部分を固定できてカシメ固定力が強くなるものであり、しかも導子部の厚みの厚い部分の適所に折り曲げ性をよくするための切り溝を設けたので、導子部に厚みの厚い部分があっても導子部を自在に曲げることができて人体の肌の曲面に導子部を密着させることができるものである。さらに低周波出力部と折り曲げ自由な導子部とを長円形の低周波出力部の長手方向と長円形の導子部の長手方向とが垂直に交わるように一体化したので、導子部の撓み変形量が大きくなり、導子部と人体との密着性が一層よくなるものである。
【００１６】
また本発明の請求項２記載の発明にあっては、低周波出力部の裏側に電池収納部を設け、導子部を変形させることにより電池収納部を開けて電池の出し入れを行えるようにしたので、導子部の切り溝により導子部を折り曲げて電池収納部を開けることができ、電池の出し入れもしやすくなるものである。
また本発明の請求項３記載の発明にあっては、低周波出力部と導子部とをカシメ固定する構造において、カシメ端子と接触する導子部の導電ゴムに突起を出し、導子部の導電ゴムとカシメ端子との接続を安定化させているので、導子部の導電ゴムとカシメ端子とが確実に導通するものである。
【００１７】
さらに本発明の請求項４記載の発明にあっては、導子部への粘着パッドの貼り付けによるカシメ端子の錆や腐食を防止するために合成樹脂シートをカシメ端子の露出部分の表裏の全面に亙って被着しているので、導子部に粘着パッドを貼り付けてもカシメ端子が錆びたり、腐食したりするのを防止できるものであり、しかも、カシメ端子と導電ゴムとの接触のための穴を合成樹脂シートに明けたので、カシメ端子を合成樹脂シートにて覆って導電ゴムとカシメ端子との接触の安定化を図ることができるものである。
【００１８】
さらに本発明の請求項５記載の発明にあっては、導電ゴムに絶縁ゴムを被覆している導子部において、導電ゴムを絶縁ゴムより突出させることにより粘着パッドとの接触を安定化させると同時に導電ゴムの絶縁ゴムに対する位置ずれを防止するようにしたので、導子部に粘着パッドを確実に取り付けることができ、しかも導電ゴムと絶縁ゴムを２色成形して導子部を形成するとき導電ゴムの位置ずれを防止できるものである。
【図面の簡単な説明】
【図１】本発明低周波治療器の一実施例を示し、（ａ）は平面図、（ｂ）は側面断面図、（ｃ）は底面図、（ｄ）は正面断面図である。
【図２】（ａ）（ｂ）同上の導子部の折り曲げ性を説明する説明図である。
【図３】（ａ）（ａ）′（ｂ）（ｂ）′は同上の低周波出力部と導子部との位置関係と人体との密着性を説明する説明図である。
【図４】導子部のカシメ部のみの肉厚を厚くしたときの問題を説明する説明図である。
【図５】本発明の導子部の形状を示し、（ａ）は平面図、（ｂ）は側面図、（ｃ）は低周波出力部も図示した正面図である。
【図６】同上の導子部に引っ張りの力がかかったときのストレスを説明する説明図である。
【図７】（ａ）（ｂ）同上の導子部の切り溝の動作を説明する説明図である。
【図８】同上の電池収納部への電池の出し入れを示し、（ａ）は断面図、（ｂ）は要部拡大断面図である。
【図９】同上の低周波出力部に導子部をカシメ固定する部分の拡大断面図である。
【図１０】同上の導子部とカシメ端子を分解した断面図である。
【図１１】同上の導子部の導電ゴムの状態を説明する図であって、（ａ）は全体の断面図、（ｂ）は要部を拡大せる断面図、（ｃ）は粘着パッドを取り付けた状態の断面図、（ｄ）は導電ゴムの下面を突出させないで粘着パッドを取り付けた状態の断面図である。
【図１２】（ａ）（ｂ）は同上の導子部の成形を説明する断面図である。
【図１３】従来例を示し、（ａ）は平面図、（ｂ）は断面図、（ｃ）は折り曲げた状態の断面図である。
【符号の説明】
Ａ  低周波出力部
Ｂ  導子部
２０  カシメ端子
２１  絶縁ゴム
２２  導電ゴム
２８  電池収納部
２９  電池
３２  切り溝
３５  合成樹脂シート
３６  粘着パッド
【図１】
0003546436.tif 000002
【図２】
0003546436.tif 000003
【図３】
0003546436.tif 000004
【図４】
0003546436.tif 000005
【図５】
0003546436.tif 000006
【図６】
0003546436.tif 000007
【図７】
0003546436.tif 000008
【図８】
0003546436.tif 000009
【図９】
0003546436.tif 000010
【図１０】
0003546436.tif 000011
【図１１】
0003546436.tif 000012
【図１２】
0003546436.tif 000013
【図１３】
0003546436.tif 000014